(57)【要約】      （修正有）【課題】隣接する部屋を仕切るための隔壁が居室空間と寝室空間を構築するのみならず、収納部をユニット化して備えることにより、居住環境を改善可能な隔壁ユニットを提供する。【解決手段】隔壁ユニット１００は、隣接する部屋Ａ、Ｂ間の境界部を仕切ると共に、各部屋Ａ、Ｂに居室空間Ａ１、Ｂ１と寝室空間Ａ２、Ｂ２を構築する凹凸隔壁１０と、凹凸隔壁１０の一部を構成し、寝室空間Ａ１、Ｂ１を区画するように備えられた収納部２０と、を有する。【選択図】図２
0003187878.tif 000002
【実用新案登録請求の範囲】
【請求項１】
隣接する部屋間の境界部を仕切ると共に、各部屋に居室空間と寝室空間を構築する凹凸隔壁と、
前記凹凸隔壁の一部を構成し、前記寝室空間を区画するように備えられた収納部と、
を有することを特徴とする隔壁ユニット。
【請求項２】
各部屋に付随する前記寝室空間は、前記凹凸隔壁を間に介して上下に配置されていることを特徴とする請求項１に記載の隔壁ユニット。
【請求項３】
前記寝室空間の下部もしくは／および上部に、横型収納部を備えることを特徴とする請求項１または請求項２に記載の隔壁ユニット。
【請求項４】
前記寝室空間の側部に、縦型収納部を備えることを特徴とする請求項１から３のいずれか１項に記載の隔壁ユニット。
【請求項５】
前記縦型収納部は、クローゼットを有することを特徴とする請求項１から４のいずれか１項に記載の隔壁ユニット。
【請求項６】
前記クローゼットは、前記凹凸隔壁を介して、互い違いに配置されていることを特徴とする請求項５に記載の隔壁ユニット。
【請求項７】
前記縦型収納部は、ドレッサーを有することを特徴とする請求項１から６のいずれか１項に記載の隔壁ユニット。
【請求項８】
前記ドレッサーは開閉可能な収納式ドレッサーであって、前記凹凸隔壁を介して、前記クローゼットの背側に配置されていることを特徴とする請求項７に記載の隔壁ユニット。
【考案の詳細な説明】
【技術分野】
【０００１】
本考案は、隣接する部屋間の境界部を仕切ると共に、各部屋に居室空間と寝室空間を構築するための隔壁ユニットに関する。
【背景技術】
【０００２】
近年、居住環境の多様化などから、ルームシェアリング型住居の需要が高まっている。ルームシェアリング型住居は、数人の居住者で厨房、浴室、トイレ、およびリビングルーム等を共用し、各居住者のプライベート空間を個室とした居住形態の住居である。
【０００３】
ルームシェアリング型住居は、部屋数を増加させるために、広い部屋を仕切って使用することがあり、従来より、様々な個室構造が提案されている。
【０００４】
例えば、仕切り手段により空間を左右に仕切って、それぞれに一方の部屋と他方の部屋とを形成する簡易個室構造が提案されている（特許文献１参照）。特許文献１の仕切り手段は、空間の高さ方向中央の水平面と、この水平面の一側から天井面まで立ち上がる立上面と、水平面の他側から床面まで垂下する垂下面とを備え、水平面の上方に一方の部屋の就寝部を形成すると共に、水平面の下方に他方の部屋の就寝部を形成する。両部屋の寝部以外の空間は、使用者が立つことのできる歩廊を形成する。
【０００５】
また、人が立ったり座ったり歩いたりすることが可能かつ人が出入り可能な第一空間と、主に横になるため専用の第二空間と、これら第一空間および第二空間を連続した状態に配置形成するための複数のパネルと、を備えると共に移設可能に構成したユニットルームが提案されている（特許文献２参照）。
【先行技術文献】
【特許文献】
【０００６】
【特許文献１】特開２００１−２３４６３６号公報
【特許文献２】特開２００４−３１６２１８号公報
【考案の概要】
【考案が解決しようとする課題】
【０００７】
ところで、特許文献１及び特許文献２の技術は、仕切り手段やパネルにより、居室空間と寝室空間を構築することができるが、実生活に必要な収納部については何ら考慮されていない。したがって、居室空間に収納棚やタンス等を別途設置すると、自ずと居室空間が狭くなってしまい、居住環境を阻害するという問題があった。
【０００８】
本考案は、上記の事情に鑑みて創案されたものであり、隣接する部屋を仕切るための隔壁が居室空間と寝室空間を構築するのみならず、収納部をユニット化して備え、居住環境を改善することができる隔壁ユニットを提供することを目的とする。
【課題を解決するための手段】
【０００９】
上記目的を達成するための本考案に係る隔壁ユニットは、隣接する部屋間の境界部を仕切る凹凸隔壁と、該凹凸隔壁の一部を構成する収納部を有する。
【００１０】
上記凹凸隔壁は、各部屋に居室空間と寝室空間を構築する。上記収納部は、上記寝室空間を区画するように備えられる。
【００１１】
上記隔壁ユニットの構成において、各部屋に付随する上記寝室空間は、上記凹凸隔壁を間に介して上下に配置されている。
【００１２】
また、上記寝室空間の下部もしくは／および上部に、横型収納部を備えることが好ましい。
【００１３】
さらに、上記寝室空間の側部に、縦型収納部を備えることが好ましい。
【００１４】
上縦型収納部は、クローゼットを有することが好ましい。上記クローゼットは、上記凹凸隔壁を介して、互い違いとなるように配置されることが好ましい。
【００１５】
また、上記縦型収納部は、ドレッサーを有することが好ましい。上記ドレッサーは開閉可能な収納式ドレッサーであって、上記凹凸隔壁を介して、上記クローゼットの背側に配置されることが好ましい。
【考案の効果】
【００１６】
本考案に係る隔壁ユニットは、隣接する部屋間の境界部を仕切ると共に、各部屋に居室空間と寝室空間を構築するための凹凸隔壁を有する。また、当該凹凸隔壁の一部として、寝室空間を区画するように収納部を備える。
【００１７】
したがって、本考案によれば、部屋を仕切るための凹凸隔壁が、居室空間と寝室空間を構築するのみならず、収納部をユニット化して備えるので、居住環境を改善可能な隔壁ユニットを実現することができる。
【００１８】
上記隔壁ユニットの構成において、各部屋に付随する寝室空間は、凹凸隔壁を間に介して上下に配置されるので、双方の寝室空間の平面的なスペースを上下で共用することができる。
【００１９】
また、寝室空間の下部もしくは／および上部に、横型収納部を備えるので、横型収納部の配置にバリエーションをもたせることができる。
【００２０】
さらに、寝室空間の側部に、縦型収納部を備えるので、収納形態にバリエーションをもたせることができる。
【００２１】
上縦型収納部は、クローゼットを有するので、居住者の居住性を高めることができる。当該クローゼットは、凹凸隔壁を介して、互い違いとなるように配置されているので、小スペースに一対のクローゼットをユニット化することができる。
【００２２】
また、上記縦型収納部はドレッサーを有するので、居住者の利便性を高めることができる。当該ドレッサーは開閉可能な収納式ドレッサーであって、凹凸隔壁を介して、クローゼットの背側に配置されているので、クローゼットの背側の小スペースにドレッサーをユニット化することができる。
【図面の簡単な説明】
【００２３】
【図１】本実施形態の隔壁ユニットを配設して区画した部屋の平面図である。
【図２】本実施形態の隔壁ユニットの側断面図である。
【図３】本実施形態の隔壁ユニットにおける一方の部屋側の正面図である。
【図４】本実施形態の隔壁ユニットにおける他方の部屋側の正面図である。
【図５】本実施形態の隔壁ユニットにおける一方の部屋側の斜視図である。
【図６】本実施形態の隔壁ユニットにおける他方の部屋側の斜視図である。
【図７】本実施形態の隔壁ユニットにおけるクローゼットおよびドレッサーの構造の説明に供する横断面図である。
【図８】本実施形態の隔壁ユニットにおける一方の部屋側のクローゼット、ドレッサーの開放状態の外観図である。
【図９】本実施形態の隔壁ユニットにおける他方の部屋側のクローゼット、ドレッサーの開放状態の外観図である。
【図１０】本実施形態の隔壁ユニットにおける横型収納部の配置の第２態様の側断面図である。
【図１１】本実施形態の隔壁ユニットにおける横型収納部の配置の第３態様の側断面図である。
【図１２】本実施形態の隔壁ユニットにおける横型収納部の配置の第４態様の側断面図である。
【考案を実施するための形態】
【００２４】
以下、図面を参照して、本考案に係る隔壁ユニットの好適な実施形態を説明する。
［隔壁ユニットの構成］
【００２５】
まず、図１から図１２を参照して、本実施形態の隔壁ユニットの構成について説明する。図１は本実施形態の隔壁ユニットを配設して区画した部屋の平面図である。図２は本実施形態の隔壁ユニットの側断面図である。図３は本実施形態の隔壁ユニットにおける一方の部屋側の正面図である。図４は本実施形態の隔壁ユニットにおける他方の部屋側の正面図である。図５は本実施形態の隔壁ユニットにおける一方の部屋側の斜視図である。図６は本実施形態の隔壁ユニットにおける他方の部屋側の斜視図である。
【００２６】
図１および図２に示すように、本実施形態に係る隔壁ユニット１００は、隣接する部屋Ａ、Ｂ間の境界部を仕切る凹凸隔壁１０と、当該凹凸隔壁１０の一部を構成する収納部２０と、を有する。
【００２７】
凹凸隔壁１０は、部屋Ａ、Ｂの境界部に配設され、各部屋Ａ、Ｂに居室空間Ａ１、Ｂ１と寝室空間Ａ２、Ｂ２を構築する。図２に示すように、各部屋Ａ、Ｂに付随する寝室空間Ａ２、Ｂ２は、凹凸隔壁１０を介して上下に配置される。本実施形態では、例えば、部屋Ａの寝室空間Ａ２は下段に配置され、凹凸隔壁１０を間に介して、部屋Ｂの寝室空間Ｂ２は上段に配置されている。
【００２８】
各寝室空間Ａ２、Ｂ２の底部は、居住者の寝台３０、３１となる。寝台３０、３１には、適宜、ベッド用マットレス３２や布団等の寝具が配置される。上段の寝室空間Ｂ２の寝台３１には、不図示の梯子が備えられる。また、上段の寝室空間Ｂ２の寝台３１の外縁部には、就寝中の居住者の落下や、布団や毛布等の落下を防止するため、落下防止具３３を取り付けることが好ましい。
【００２９】
各部屋Ａ、Ｂの専有面積は、７平方メートル以上の居住スペースを確保する。また、各居室空間Ａ１、Ｂ１の区画壁は、各部屋Ａ、Ｂに個別に出入り可能な出入口（図示せず）を備え、採光のための窓等の開口部（図示せず）を有している。さらに、凹凸隔壁１０は、例えば、耐火ボードや難燃ボード等を用いて準耐火構造となるように構築される。
【００３０】
本実施形態の凹凸隔壁１０は、例えば、断面横Ｈ字形状の隔壁１１と、断面直状の隔壁１２等を組み合わせて凹凸形状にユニット化される（図２参照）。なお、隔壁１１、１２の断面形状は例示であって、Ｌ字形状等のように他の断面形状であっても構わない。
【００３１】
収納部２０は、寝室空間Ａ２、Ｂ２を区画するように、凹凸隔壁１０に備えられる。本実施形態の隔壁ユニット１００は、各寝室空間Ａ２、Ｂ２の下部にそれぞれ横型収納部２１を備える。本実施形態の横型収納部２１は、例えば、上部が開口された箱体状の引き出し式収納部である。
【００３２】
図１から図６を参照して、本実施形態の横型収納部２１は、横方向に３列の引き出し式収納部が並設されている。引き出し式収納部の段数・列数は限定されず、引き出し式収納部の幅の増減に応じて、適宜変更することができる。また、横型収納部２１は、例えば、幅広の引き出し式収納部と幅狭の引き出し式収納部とを組み合わせて構成してもよい。
【００３３】
部屋Ａの引き出し式収納部と部屋Ｂの引き出し式収納部の間には、凹凸隔壁１０の一部が設けられる。部屋Ａの引き出し式収納部と部屋Ｂの引き出し式収納部は、相反する方向へ引き出される。本実施形態では、部屋Ａの引き出し式収納部と部屋Ｂの引き出し式収納部の奥行きを同一に設定しているが、当該奥行きを異ならせても構わない。なお、横型収納部２１は、引き出し式収納部に限定されず、開き戸式収納部や引き戸式収納部等の他の形式の収納部であっても構わない。
【００３４】
さらに、図１、図３から図６を参照して、本実施形態の隔壁ユニット１００は、収納部２０として、各寝室空間Ａ２、Ｂ２の側部に縦型収納部２２を備える。本実施形態の縦型収納部２２は、例えば、床から天井まで鉛直方向に配置された開口収納部（収納棚）もしくは開き戸式収納部である。
【００３５】
本実施形態の縦型収納部２２は、例えば、各寝室空間Ａ２、Ｂ２の一側部において、横２列に配置されている。縦型収納部２２は、クローゼット２３、ドレッサー２５、収納棚２６および天袋２７を有する。
【００３６】
図７から図９を参照して、本実施形態の隔壁ユニット１００におけるクローゼット２３およびドレッサー２４の構造について説明する。図７は本実施形態の隔壁ユニットにおけるクローゼットおよびドレッサーの構造の説明に供する横断面図である。図８は本実施形態の隔壁ユニットにおける一方の部屋側のクローゼット、ドレッサーの開放状態の斜視図である。図９は本実施形態の隔壁ユニットにおける他方の部屋側のクローゼット、ドレッサーの開放状態の斜視図である。
【００３７】
図７に示すように、部屋Ａのクローゼット２３と部屋Ｂのクローゼット２３とは、凹凸隔壁１０を介して、互い違いに配置されている。クローゼット２３の側板間には、横向きにロッド２４が掛け渡されている。当該ロッド２３ａにはハンガー２４を引っ掛けるので、クローゼット２３の奥行きは約６００ｍｍ程度必要である（図８および図９参照）。例えば、寝台３０、３１の幅を約９００ｍｍとした場合、約６００ｍｍの奥行きを要するクローゼット２３、２３を背向かい配置とするのは不可能である。よって、クローゼット２３、２３は、互い違いに配置される。
【００３８】
すると、クローゼット２３の背側に、約３００ｍｍ程度のスペースが余ることになる。そこで、当該クローゼット２３の背側のスペースには、ドレッサー２５が配置される。クローゼット２３とドレッサー２５は、凹凸隔壁１０を介して、背向かいで配置される。なお、上記の寝台３０、３１の幅、クローゼット２３の奥行き、およびドレッサー２５の奥行きの数値は例示であって、例示した数値に限定されない。
【００３９】
図８および図９に示すように、ドレッサー２５は、開閉可能な収納式ドレッサーである。ドレッサー２５は、鏡２５ａと略半円形状の台２５ｂを備える。ドレッサー２５は、開き戸２５ｃを開放した状態で使用される。鏡２５ａは、開き戸２５ｃの裏面に取り付けられる。例えば、台２５ｂの形状を略半円形状とすることにより、開き戸２５ｃの開閉時に、当該台２５ｂが側板等に干渉しないように工夫されている。台２５ｂの形状は略半円形状に限定されず、開き戸２５ｃの開閉時において、当該台２５ｂが側板等に干渉しなければ、台形等の他の形状に形成しても構わない。また、ドレッサー２５内にも、収納棚２５ｄが設けられている。本実施形態では、収納棚２５ｄを例示しているが、当該収納棚２５ｄに限定されず、例えば、引き出し式収納部等の他の形式の収納部であっても構わない。
【００４０】
ドレッサー２５の上下には、書棚や陳列棚等として使用できる収納棚２６が形成されている。収納棚２６は、クローゼット２３の背側に配置される。したがって、当該収納棚２６の奥行きは約３００ｍｍ程度であるが、書籍等を配置するには十分な奥行きを有する。
【００４１】
ドレッサー２５と収納棚２６との位置関係、および収納棚２７の段数は、本実施形態に限定されない。また、本実施形態では、収納棚２６を例示しているが、当該収納棚２６に限定されず、例えば、引き出し式収納部等の他の形式の収納部であっても構わない。なお、図８および図９において、４１は書籍、４２は化粧品、４３はゴミ箱を例示して表している。
【００４２】
クローゼット２３、ドレッサー２５および収納棚２６の上部には、天袋２７が形成されている。本実施形態の天袋２７は、開き戸式の収納部であるが、当該開き戸式の収納部に限定されず、例えば、引き戸式収納部等の他の形式の収納部であっても構わない。
【００４３】
本実施形態の縦型収納部２２は、各寝室空間Ａ２、Ｂ２の一側部に横２列に配置されているが、各寝室空間Ａ２、Ｂ２の一側部に限定されず、各寝室空間Ａ２、Ｂ２の両側に縦型収納部２２を１列ずつ配置しても構わない。縦型収納部２２の列数も部屋Ａ、Ｂの広さに応じて適宜変更することができる。
【００４４】
次に、図２の横型収納部２１の配置を基本態様（第１態様）として、図１０から図１２を参照して、横型収納部２１の配置のバリエーションについて説明する。図１０は本実施形態の隔壁ユニットにおける横型収納部の配置の第２態様の側断面図である。図１１は本実施形態の隔壁ユニットにおける横型収納部の配置の第３態様の側断面図である。図１２は本実施形態の隔壁ユニットにおける横型収納部の配置の第４態様の側断面図である。
【００４５】
図２に示したように、横型収納部２１の配置の基本態様（第１態様）は、各寝室空間Ａ２、Ｂ２の下部に、それぞれ当該横型収納部２１が備えられている。
【００４６】
横型収納部２１の配置の第２態様は、各寝室空間Ａ２、Ｂ２の上部に、それぞれ当該横型収納部２１が備えられる。
【００４７】
横型収納部２１の配置の第３態様は、下段の寝室空間Ａ２の下部、および上段の寝室空間Ｂ２の上部に、当該横型収納部２１が備えられている。
【００４８】
横型収納部２１の配置の第４態様は、下段の寝室空間Ａ２の上部、および上段の寝室空間Ｂ２の下部に、当該横型収納部２１が備えられている。
【００４９】
すなわち、本実施形態の隔壁ユニット１００は、各寝室空間Ａ２、Ｂ２の上部もしくは／および下部に、横型収納部２１が配置される。したがって、当該横型収納部２１の配置には、４つのバリエーションが存在する。なお、第２態様および第３態様において、最上部の横型収納部２１は、引き出し式収納部として形成すると、内部に物を収納しにくいので、開き戸式収納部もしくは引き戸式収納部であることが好ましい。
［隔壁ユニットの作用］
【００５０】
次に、図１から図９を参照して、本実施形態の隔壁ユニット１００の作用について説明する。
【００５１】
図１および図２に示したように、本実施形態の隔壁ユニット１００は、隣接する部屋Ａ、Ｂ間の境界部を仕切ると共に、各部屋Ａ、Ｂに居室空間Ａ１、Ｂ１と寝室空間Ａ２、Ｂ２を構築するための凹凸隔壁１０を有する。本実施形態の凹凸隔壁１０は、例えば、断面横Ｈ字形状の隔壁１１と、断面直状の隔壁１２等を組み合わせて凹凸形状にユニット化される。
【００５２】
各部屋Ａ、Ｂに付随する寝室空間Ａ２、Ｂ２は、凹凸隔壁１０を介して上下に配置される。凹凸隔壁１０を介して上下に凹凸隔壁１０を配置することにより、寝室空間Ａ２、Ｂ２の平面的なスペースを上下で共用することができる。
【００５３】
当該凹凸隔壁１０の一部として、寝室空間Ａ２、Ｂ２を区画するように収納部２０を備える。収納部２０は、寝室空間Ａ２、Ｂ２の下部もしくは／および上部に備えられた横型収納部２１と、寝室空間Ａ２、Ｂ２の側部に備えられた縦型収納部２２と、からなる。本実施形態の隔壁ユニット１００は、横型収納部２１と縦型収納部２２を備えるので、収納部の配置および収納形態にバリエーションをもたせることができる。
【００５４】
本実施形態の縦型収納部２２はクローゼット２３を有するので、居住者の居住性を高めることができる。特に、本実施形態の縦型収納部２２はドレッサー２５を有するので、居住者の利便性を高めることができる。
【００５５】
本実施形態のクローゼット２３およびドレッサー２５のユニット化には、種々の工夫が施されている。すなわち、クローゼット２３は、凹凸隔壁１０を介して、互い違いとなるように配置される。これは、上述したように、クローゼット２３の奥行きは約６００ｍｍ程度必要であるので、例えば、寝台３０、３１の幅を約９００ｍｍとした場合に、約６００ｍｍの奥行きを要するクローゼット２３、２３を背向かい配置とするのは不可能だからである。本実施形態のように、クローゼット２３、２３を互い違いに配置することにより、小スペースにそれぞれクローゼット２３、２３をユニット化することができる。
【００５６】
一方、ドレッサー２５は、凹凸隔壁１０を介して、クローゼット２３の背側に配置されている。ドレッサー２５は、開閉可能な収納式ドレッサーであるので、クローゼット２３の背側の小スペースにユニット化して配置することができる。また、鏡２５ａ下の台２５ｂを略半円形状に形成しているので、側板等との干渉を防止することができる。
【００５７】
以上説明したように、本実施形態の隔壁ユニット１００によれば、部屋Ａ、Ｂを仕切るための凹凸隔壁１０が、居室空間Ａ１、Ｂ１と寝室空間Ａ２、Ｂ２を構築するのみならず、収納部２０として横型収納部２１と縦型収納部２２をユニット化して備えるので、プライベート空間の居住環境を大幅に改善することができるものである。
【００５８】
以上、本考案の好適な実施形態を説明したが、上記実施形態は本考案の説明のための例示であり、本考案の範囲を上記実施形態にのみ限定する趣旨ではない。本考案は、その要旨を逸脱しない範囲で、上記実施形態とは異なる種々の態様で実施することができる。
【符号の説明】
【００５９】
Ａ、Ｂ    部屋、
Ａ１、Ｂ１    居室空間、
Ａ２、Ｂ２    寝室空間、
１０    凹凸隔壁、
２０    収納部、
２１    横型収納部、
２２    縦型収納部、
２３    クローゼット、
２５    ドレッサー、
１００    隔壁ユニット。
【図１】
0003187878.tif 000003
【図２】
0003187878.tif 000004
【図３】
0003187878.tif 000005
【図４】
0003187878.tif 000006
【図５】
0003187878.tif 000007
【図６】
0003187878.tif 000008
【図７】
0003187878.tif 000009
【図８】
0003187878.tif 000010
【図９】
0003187878.tif 000011
【図１０】
0003187878.tif 000012
【図１１】
0003187878.tif 000013
【図１２】
0003187878.tif 000014
【手続補正書】
【提出日】平成25年10月18日(2013.10.18)
【手続補正１】
【補正対象書類名】図面
【補正対象項目名】全図
【補正方法】変更
【補正の内容】
【図１】
0003187878.tif 000015
【図２】
0003187878.tif 000016
【図３】
0003187878.tif 000017
【図４】
0003187878.tif 000018
【図５】
0003187878.tif 000019
【図６】
0003187878.tif 000020
【図７】
0003187878.tif 000021
【図８】
0003187878.tif 000022
【図９】
0003187878.tif 000023
【図１０】
0003187878.tif 000024
【図１１】
0003187878.tif 000025
【図１２】
0003187878.tif 000026